(57)【要約】      （修正有）【課題】  本発明は、携帯端末からＰＣ端末の保持するＵＲＬ情報を利用できるようにするとともに、携帯端末がＵＲＬにアクセスすることによって取得したコンテンツをＰＣ端末に格納できるコンテンツ提供システムを提供する。【解決手段】ＰＣ端末２０と、前記ＰＣ端末２０と通信可能な携帯端末３０と、インターネットを介して前記ＰＣ端末２０にコンテンツデータを提供するＷｅｂサーバ１０と、を備えるコンテンツ提供システムであって、前記ＰＣ端末２０は、前記コンテンツデータに対応するコンテンツ識別子が格納されたフォルダ２１と、前記携帯端末毎のユーザ識別ＩＤと、当該ユーザ識別ＩＤに対応する前記携帯端末の端末識別ＩＤ及び端末仕様と、から成る情報テーブル２８と、前記携帯端末３０からアクセスがあった場合、当該携帯端末３０から抽出したユーザ識別ＩＤと端末識別ＩＤとが前記情報テーブル２８に記憶されている。【選択図】  図１
2006260009.tif 000002
【特許請求の範囲】
【請求項１】
携帯通信端末と通信可能で、かつ、インターネットを介してＷｅｂサーバからコンテンツデータの提供を受ける情報処理端末であって、
前記コンテンツデータに対応するコンテンツ識別子が格納されたコンテンツ識別子記憶手段と、
携帯通信端末毎のユーザ識別ＩＤと、当該ユーザ識別ＩＤに対応する前記通信携帯端末の端末識別ＩＤ及び端末仕様と、から成るテーブルを記憶するテーブル記憶手段と、
前記携帯通信端末からアクセスがあった場合、当該携帯通信端末のユーザ識別ＩＤおよび端末識別ＩＤを抽出する抽出手段と、
前記抽出手段により抽出したユーザ識別ＩＤと端末識別ＩＤとが前記テーブルに記憶されている場合は、前記携帯通信端末による前記コンテンツ識別子記憶手段へのアクセスを許可する判定手段と、
前記判定手段により前記コンテンツ識別子記憶手段へのアクセスが許可された場合、前記コンテンツ識別子記憶手段に記憶されたコンテンツ識別子を選択する、前記携帯通信端末からの選択操作を受け付ける選択受付手段と、
を備える情報処理端末。
【請求項２】
請求項１記載の情報処理端末であって、
前記選択受付手段により受け付けたコンテンツ識別子に対応するコンテンツデータを、前記Ｗｅｂサーバから受信する受信手段と、
前記受信手段により受信したコンテンツデータを、前記携帯通信端末の端末識別ＩＤに応じた端末仕様を参照して、前記携帯通信端末により閲覧可能な形式に変換する変換手段と、
前記変換手段により変換したコンテンツデータを前記携帯通信端末に送信する送信手段と、を備える情報処理端末。
【請求項３】
請求項１記載の情報処理端末であって、
前記選択受付手段により受け付けたコンテンツ識別子に対応するコンテンツデータを、前記Ｗｅｂサーバから受信する受信手段と、
前記受信手段により受信したコンテンツデータを記憶するコンテンツデータ記憶手段と、を備え、
前記コンテンツデータ記憶手段が、前記受信手段により受信したコンテンツデータのうちの、前記携帯通信端末により閲覧できないコンテンツデータを記憶する情報処理端末。
【請求項４】
請求項３記載の情報処理端末であって、
前記コンテンツデータ記憶手段に記憶したコンテンツデータを、前記端末識別ＩＤに応じた端末仕様を参照して、前記携帯通信端末により閲覧可能な形式に変換する変換手段と、
前記変換手段により変換したコンテンツデータを前記携帯通信端末に送信する送信手段と、を備え、
前記コンテンツデータ記憶手段は、前記受信手段により受信したコンテンツデータを分割して記憶し、
前記変換手段は、前記コンテンツデータ記憶手段に分割して記憶したコンテンツデータ毎に、前記携帯通信端末により閲覧可能な形式に変換し、
前記送信手段は、前記変換手段により変換した各コンテンツデータを、メールにより前記携帯通信端末に送信する情報処理端末。
【請求項５】
請求項４記載の情報処理端末であって、
前記メールにより送信するコンテンツデータは、再生回数に制限をかけたものである情報処理端末。
【請求項６】
請求項２から５のいずれか１項に記載の情報処理端末であって、
前記受信手段により受信したコンテンツデータにリンク情報として含まれる別のコンテンツ識別子を、前記コンテンツ識別子記憶手段に登録する登録手段、を備える情報処理端末
【請求項７】
請求項２、４から６のいずれか１項に記載の情報処理端末であって、
前記送信手段は、ＶｏＩＰ発呼手段を含み、
前記ＶｏＩＰ発呼手段は、前記携帯通信端末により選択された前記コンテンツ識別子に対応するコンテンツデータに音声データが含まれる場合、前記携帯通信端末に向けてＶｏＩＰの発呼を行い、前記音声データを送信する情報処理端末。
【請求項８】
請求項１から７のいずれか１項に記載の情報処理端末と、前記情報処理端末と通信可能な携帯通信端末と、インターネットを介して前記情報処理端末にコンテンツデータを提供するＷｅｂサーバと、を備えるコンテンツ提供システム。
【請求項９】
インターネットに接続されたＷｅｂサーバが保持するコンテンツデータを、前記インターネットに接続された情報処理端末から携帯通信端末に提供するコンテンツ提供方法であって、
前記携帯通信端末から前記情報処理端末にアクセスがあった場合、前記情報処理端末が当該携帯通信端末のユーザ識別ＩＤおよび端末識別ＩＤを抽出する抽出ステップと、
前記抽出したユーザ識別ＩＤと端末識別ＩＤとが、前記情報処理端末に記憶された、前記携帯通信端末毎のユーザ識別ＩＤと、当該ユーザ識別ＩＤに対応する前記通信携帯端末の端末識別ＩＤ及び端末仕様と、から成るテーブルに該当するものがある場合に、前記情報処理端末が前記携帯通信端末からのアクセスを許可する許可ステップと、
前記携帯通信端末が、前記情報処理端末に記憶された、前記コンテンツデータに対応するコンテンツ識別子を選択する選択ステップと、
を有するコンテンツ提供方法。
【請求項１０】
請求項９記載のコンテンツ提供方法であって、
前記携帯通信端末により選択された前記コンテンツ識別子に対応するコンテンツデータを、前記情報処理端末が前記Ｗｅｂサーバから受信する受信ステップと、
前記受信したコンテンツデータを、前記携帯通信端末の端末識別ＩＤに応じた端末仕様を参照して、前記情報処理端末が前記携帯通信端末により閲覧可能な形式に変換する変換ステップと、
前記変換したコンテンツデータを前記情報処理端末が前記携帯通信端末に送信する送信ステップと、
を有するコンテンツ提供方法。
【請求項１１】
請求項９記載のコンテンツ提供方法であって、
前記携帯通信端末により選択された前記コンテンツ識別子に対応するコンテンツデータを、前記情報処理端末が前記Ｗｅｂサーバから受信する受信ステップと、
前記受信したコンテンツデータのうちの、前記携帯通信端末により閲覧できないコンテンツデータを、前記情報処理端末が記憶する記憶ステップと、
を有するコンテンツ提供方法。
【請求項１２】
請求項１１記載のコンテンツ提供方法であって、
前記記憶したコンテンツデータを、前記端末識別ＩＤに応じた端末仕様を参照して、前記携帯通信端末により閲覧可能な形式に前記情報処理端末が変換する変換ステップと、
前記変換したコンテンツデータを前記情報処理端末が前記携帯通信端末に送信する送信ステップと、を有し、
前記記憶ステップは、前記受信したコンテンツデータを分割して記憶し、
前記変換ステップは、前記分割して記憶したコンテンツデータ毎に、前記携帯通信端末により閲覧可能な形式に変換し、
前記送信ステップは、前記変換した各コンテンツデータを、メールにより前記携帯通信端末に送信する、
コンテンツ提供方法。
【請求項１３】
請求項１０から１２のいずれか１項に記載のコンテンツ提供方法であって、
前記受信したコンテンツデータにリンク情報として含まれる別のコンテンツ識別子を、前記情報処理端末に登録する登録ステップを有するコンテンツ提供方法。
【請求項１４】
請求項９から１３のいずれか１項に記載のコンテンツ提供方法の各ステップを、コンピュータに実行させるためのコンテンツ提供プログラム。
【発明の詳細な説明】
【技術分野】
【０００１】
本発明は、インターネットに接続可能なＰＣ端末から携帯端末にコンテンツサーバからコンテンツを提供する情報処理端末、コンテンツ提供システム、コンテンツ提供方法およびコンテンツ提供プログラムに関する。
【背景技術】
【０００２】
インターネット環境の整備及び移動通信技術の進展に伴って、コンテンツサーバ上のＨＴＭＬファイル、画像ファイル、動画ファイル、音声ファイル等のコンテンツを無線通信機能を備えた携帯端末に提供することが行われるようになってきた。従来のコンテンツ提供システムでは、前記インターネット端末へ配信するコンテンツデータ中に引用されている画像データが存在する場合において、インターネット端末のアクセス方式に対応する記述形式へのコンテンツデータの変換と、インターネット端末に表示可能な画像ファイル形式への画像データの変換とを個別に実施し、変換したコンテンツデータ及び／又は画像データをインターネット端末に対して配信する例がある（例えば、特許文献１参照）。
【０００３】
また、情報発信者の端末装置から電子ファイルを受信し、その電子ファイルを電子ファイル翻訳サーバによりＷｅｂブラウザで表示可能なＨＴＭＬ形式に変換すると共に、変換した電子ファイルを所定のＵＲＬアドレスを付加して保管し、保管先のＵＲＬアドレスをインターネット又はイントラネット上で閲覧可能にする例がある（例えば、特許文献２参照）。
【０００４】
さらに、ＰＣ端末を経由してアクセスしたインターネット上のウェブサイトで移動通信網のサイトを検索してその一覧を表示し、表示された移動通信網サイトの内から任意のサイトのＵＲＬを指定した移動通信網の通信端末に送信する例がある（例えば、特許文献３参照）。
【０００５】
【特許文献１】ＷＯ２００２−４４９０６号公報
【特許文献２】特開２００３−１４１０２９号公報
【特許文献３】特開２００２−３４２１９０号公報
【発明の開示】
【発明が解決しようとする課題】
【０００６】
しかしながら、上記第１及び第２の例にあっては、ファイルの所在を簡単に取得したり、ストリーミング型コンテンツを視聴することができないという事情がある。また、第３の例では、移動通信網の通信端末からＰＣ端末の保持するＵＲＬ情報の利用及び更新ができないという問題がある。
【０００７】
本発明は、上記の事情に鑑みてなされたものであって、携帯端末からＰＣ端末の保持するＵＲＬ情報を利用できるようにすると共に、携帯端末がＵＲＬにアクセスすることによって取得したコンテンツを格納することのできる情報処理端末、コンテンツ提供システム、コンテンツ提供方法およびコンテンツ提供プログラムを提供することを目的とする。
【０００８】
また、携帯端末では閲覧することができないコンテンツを閲覧可能にし、ストリーミング型コンテンツを携帯端末で取得することのできる情報処理端末、コンテンツ提供システム、コンテンツ提供方法およびコンテンツ提供プログラムを提供する。
【課題を解決するための手段】
【０００９】
本発明の情報処理端末は、携帯通信端末と通信可能で、かつ、インターネットを介してＷｅｂサーバからコンテンツデータの提供を受ける情報処理端末であって、前記コンテンツデータに対応するコンテンツ識別子が格納されたコンテンツ識別子記憶手段と、携帯通信端末毎のユーザ識別ＩＤと、当該ユーザ識別ＩＤに対応する前記通信携帯端末の端末識別ＩＤ及び端末仕様と、から成るテーブルを記憶するテーブル記憶手段と、前記携帯通信端末からアクセスがあった場合、当該携帯通信端末のユーザ識別ＩＤおよび端末識別ＩＤを抽出する抽出手段と、前記抽出手段により抽出したユーザ識別ＩＤと端末識別ＩＤとが前記テーブルに記憶されている場合は、前記携帯通信端末による前記コンテンツ識別子記憶手段へのアクセスを許可する判定手段と、前記判定手段により前記コンテンツ識別子記憶手段へのアクセスが許可された場合、前記コンテンツ識別子記憶手段に記憶されたコンテンツ識別子を選択する、前記携帯通信端末からの選択操作を受け付ける選択受付手段と、を備えるものである。
【００１０】
本発明のコンテンツ提供システムは、インターネットに接続可能な情報処理端末と、前記情報処理端末と通信可能な携帯通信端末と、前記インターネットを介して前記情報処理端末にコンテンツデータを提供するＷｅｂサーバと、を備えるコンテンツ提供システムであって、前記情報処理端末は、前記コンテンツデータに対応するコンテンツ識別子が格納されたコンテンツ識別子記憶手段と、前記携帯通信端末毎のユーザ識別ＩＤと、当該ユーザ識別ＩＤに対応する前記通信携帯端末の端末識別ＩＤ及び端末仕様と、から成るテーブルを記憶するテーブル記憶手段と、前記携帯通信端末からアクセスがあった場合、当該携帯通信端末のユーザ識別ＩＤおよび端末識別ＩＤを抽出する抽出手段と、前記抽出手段により抽出したユーザ識別ＩＤと端末識別ＩＤとが前記テーブルに記憶されている場合は、前記携帯通信端末による前記コンテンツ識別子記憶手段へのアクセスを許可する判定手段と、を有し、前記携帯通信端末は、前記コンテンツ識別子記憶手段へのアクセスが許可された場合、前記コンテンツ識別子記憶手段に記憶されたコンテンツ識別子を選択するものである。
【００１１】
本発明のコンテンツ提供方法は、インターネットに接続されたＷｅｂサーバが保持するコンテンツデータを、前記インターネットに接続された情報処理端末から携帯通信端末に提供するコンテンツ提供方法であって、前記携帯通信端末から前記情報処理端末にアクセスがあった場合、前記情報処理端末が当該携帯通信端末のユーザ識別ＩＤおよび端末識別ＩＤを抽出する抽出ステップと、前記抽出したユーザ識別ＩＤと端末識別ＩＤとが、前記情報処理端末に記憶された、前記携帯通信端末毎のユーザ識別ＩＤと、当該ユーザ識別ＩＤに対応する前記通信携帯端末の端末識別ＩＤ及び端末仕様と、から成るテーブルに該当するものがある場合に、前記情報処理端末が前記携帯通信端末からのアクセスを許可する許可ステップと、前記携帯通信端末が、前記情報処理端末に記憶された、前記コンテンツデータに対応するコンテンツ識別子を選択する選択ステップと、を有するものである。
【００１２】
本発明のコンテンツ提供プログラムは、本発明のコンテンツ提供方法の各ステップを、コンピュータに実行させるものである。
【００１３】
この構成により、ＰＣ端末が保持するＵＲＬを携帯端末から利用できるとともに、ＰＣ端末内のコンテンツを、携帯端末の標準ビューア経由で容易に取得することができる。
【００１４】
また、本発明の情報処理端末は、前記選択受付手段により受け付けたコンテンツ識別子に対応するコンテンツデータを、前記Ｗｅｂサーバから受信する受信手段と、前記受信手段により受信したコンテンツデータを、前記携帯通信端末の端末識別ＩＤに応じた端末仕様を参照して、前記携帯通信端末により閲覧可能な形式に変換する変換手段と、前記変換手段により変換したコンテンツデータを前記携帯通信端末に送信する送信手段と、を備えるものを含む。
【００１５】
また、本発明のコンテンツ提供方法は、前記携帯通信端末により選択された前記コンテンツ識別子に対応するコンテンツデータを、前記情報処理端末が前記Ｗｅｂサーバから受信する受信ステップと、前記受信したコンテンツデータを、前記携帯通信端末の端末識別ＩＤに応じた端末仕様を参照して、前記情報処理端末が前記携帯通信端末により閲覧可能な形式に変換する変換ステップと、前記変換したコンテンツデータを前記情報処理端末が前記携帯通信端末に送信する送信ステップと、を有するものを含む。
【００１６】
この構成により、携帯端末で閲覧不可能なページ又はコンテンツを閲覧できる。
【００１７】
また、本発明の情報処理端末は、前記選択受付手段により受け付けたコンテンツ識別子に対応するコンテンツデータを、前記Ｗｅｂサーバから受信する受信手段と、前記受信手段により受信したコンテンツデータを記憶するコンテンツデータ記憶手段と、を備え、前記コンテンツデータ記憶手段が、前記受信手段により受信したコンテンツデータのうちの、前記携帯通信端末により閲覧できないコンテンツデータを記憶するものを含む。
【００１８】
また、本発明のコンテンツ提供方法は、前記携帯通信端末により選択された前記コンテンツ識別子に対応するコンテンツデータを、前記情報処理端末が前記Ｗｅｂサーバから受信する受信ステップと、前記受信したコンテンツデータのうちの、前記携帯通信端末により閲覧できないコンテンツデータを、前記情報処理端末が記憶する記憶ステップと、を有するものを含む。
【００１９】
この構成により、掲載期間が限定されたコンテンツを、外出中に携帯端末からＰＣ端末にダウンロードすることができる。
【００２０】
また、本発明の情報処理端末は、前記コンテンツデータ記憶手段に記憶したコンテンツデータを、前記端末識別ＩＤに応じた端末仕様を参照して、前記携帯通信端末により閲覧可能な形式に変換する変換手段と、前記変換手段により変換したコンテンツデータを前記携帯通信端末に送信する送信手段と、を備え、前記コンテンツデータ記憶手段が、前記受信手段により受信したコンテンツデータを分割して記憶し、前記変換手段が、前記コンテンツデータ記憶手段に分割して記憶したコンテンツデータ毎に、前記携帯通信端末により閲覧可能な形式に変換し、前記送信手段が、前記変換手段により変換した各コンテンツデータを、メールにより前記携帯通信端末に送信するものを含む。
【００２１】
また、本発明のコンテンツ提供方法は、前記記憶したコンテンツデータを、前記端末識別ＩＤに応じた端末仕様を参照して、前記携帯通信端末により閲覧可能な形式に前記情報処理端末が変換する変換ステップと、前記変換したコンテンツデータを前記情報処理端末が前記携帯通信端末に送信する送信ステップと、を有し、前記記憶ステップは、前記受信したコンテンツデータを分割して記憶し、前記変換ステップは、前記分割して記憶したコンテンツデータ毎に、前記携帯通信端末により閲覧可能な形式に変換し、前記送信ステップは、前記変換した各コンテンツデータを、メールにより前記携帯通信端末に送信するものを含む。
【００２２】
この構成により、携帯端末の制限を超える大きなサイズのコンテンツを閲覧することができる。
【００２３】
また、本発明の情報処理端末は、前記メールにより送信するコンテンツデータが、再生回数に制限をかけたものであるものを含む。
【００２４】
この構成により、携帯端末の制限を超えるサイズのコンテンツを閲覧することができる。
【００２５】
また、本発明の情報処理端末は、前記受信手段により受信したコンテンツデータにリンク情報として含まれる別のコンテンツ識別子を、前記コンテンツ識別子記憶手段に登録する登録手段、を備えるものを含む。
【００２６】
また、本発明のコンテンツ提供方法は、前記受信したコンテンツデータにリンク情報として含まれる別のコンテンツ識別子を、前記情報処理端末に登録する登録ステップを有するものを含む。
【００２７】
この構成により、リンクなどから得た新たなＵＲＬをＰＣ端末内に保存できる。
【００２８】
また、本発明の情報処理端末は、前記送信手段が、ＶｏＩＰ発呼手段を含み、前記ＶｏＩＰ発呼手段が、前記携帯通信端末により選択された前記コンテンツ識別子に対応するコンテンツデータに音声データが含まれる場合、前記携帯通信端末に向けてＶｏＩＰの発呼を行い、前記音声データを送信するものを含む。
【００２９】
この構成により、ストリーミングプロトコル非対応の携帯端末において、ストリーミングコンテンツの閲覧が可能となる。
【発明の効果】
【００３０】
本発明によれば、携帯端末からＰＣ端末の保持するＵＲＬ情報を利用できるようにすると共に、携帯端末がＵＲＬにアクセスすることによって取得したコンテンツをＰＣ端末に格納することのできる情報処理端末、コンテンツ提供システム、コンテンツ提供方法およびコンテンツ提供プログラムを提供することが可能である。
【００３１】
また、携帯端末では閲覧できないコンテンツを閲覧可能にし、ストリーミング型コンテンツを携帯端末で取得することができる情報処理端末、コンテンツ提供システム、コンテンツ提供方法およびコンテンツ提供プログラムを提供できる。
【発明を実施するための最良の形態】
【００３２】
本発明の実施形態について、図面を用いて説明する。図１は、本発明の実施形態に係るコンテンツ提供システムの概略構成を示す図である。
図１に示すように、このコンテンツ提供システムは、コンテンツを提供するＷｅｂサーバ１０と、インターネット網を介してＷｅｂサーバ１０にアクセスすることができるＰＣ端末２０と、移動通信網を介してＰＣ端末２０にアクセスすることが可能な携帯電話等の携帯端末３０から構成される。
【００３３】
Ｗｅｂサーバ１０は、ＨＴＭＬファイル１１１と、画像／音声／動画ファイル１１２からなるコンテンツファイル１１と、インターネット網への接続を制御するＷｅｂサーバプログラム１２を備えている。
【００３４】
ＰＣ端末２０は、Ｕｓｅｒお気に入りファイル２１１、Ａｌｌ Ｕｓｅｒｓお気に入りファイル２１２、Ｕｓｅｒドキュメントファイル２１３及びＡｌｌ Ｕｓｅｒｓドキュメントファイル２１４からなるＣ：￥Ｄｏｃｕｍｅｎｎｔｓ ａｎｄ Ｓｅｔｔｉｎｇｓファイル２１と、ＵＲＬ情報管理プログラム２２と、コンテンツ変換プログラム２３と、コンテンツ選択処理用ＨＴＭＬファイル２４と、ＵＲＬ保存処理用ＨＴＭＬファイル２５と、機種名、製造番号やサブスクライバＩＤ等、携帯端末を特定する情報を保持する端末仕様ファイル２６と、ユーザエージェント情報を保持する情報ファイル２７と、端末仕様ファイル２６及び情報ファイル２７を基に決定した、例えば表１に示すようなデフォルトデータを保持するユーザ・端末プロファイル情報テーブル２８と、端末認証プログラム２９と、変換後のＨＴＭＬファイル３０１、画像／音声／動画ファイル３０２からなる変換後コンテンツファイル３０と、インターネット網への接続を制御するＷｅｂクライアント／サーバプログラム３１を備えている。
【００３５】
【表１】
2006260009.tif 000003
【００３６】
また、携帯端末３０は、移動通信網を介してＰＣ端末２０への接続を制御するＷｅｂクライアントプログラム３１と、取得したコンテンツの表示を制御するビューアプログラム３２を備えている。
【００３７】
次に、以上のように構成されたコンテンツ提供システムの動作概要について説明する。
【００３８】
（１）ＰＣ端末への登録
まず、携帯端末３０に対してＰＣ端末２０内のユーザ登録ページのＵＲＬ（一回限り、指定時間のみ使用できる）をメールで送信する。携帯端末３０が上記ＵＲＬ（ユーザ名入力可能）にアクセスしたら、ＰＣ端末２０が、ＨＴＴＰヘッダ内のユーザエージェント情報（機種名、製造番号やサブスクライバＩＤなどの、端末を特定できる情報を含む）を抽出し、ＰＯＳＴ送信されたユーザ名をＰＣ端末２０のアカウント名と比較する。一致した場合は、携帯端末のユーザ名（ＰＣ端末２０が管理するアカウント名）とユーザエージェント情報、対応コンテンツの仕様（マルチメディアフォーマット、コーデック、画面サイズ、表示色、ＨＴＭＬバージョン等）をユーザ・端末プロファイル情報テーブル２８に格納し、情報ファイルを更新する。登録完了後は、登録した携帯端末３０にＰＣ端末２０のＵＲＬをメール送信する。
【００３９】
ユーザ・端末プロファイル情報テーブル２８には、当初、ユーザエージェント情報及び端末仕様ファイル（各機種ごとの仕様を保存）をもとに決定した表１に示すようなデフォルトデータが入っている。このうち、どのフォーマットを当該フォーマットに変換するかを示すデータは、書き換え用のＵＲＬを用意することにより該当するユーザの携帯端末３０から書き換えることが出来る。
【００４０】
（２）外部からのＰＣ端末２０の起動方法
可能であれば、携帯端末３０若しくはネットワーク経由で他のコンピュータによるＷＯＬ(Ｗａｋｅ Ｏｎ ＬＡＮ)又はＷＯＲ(Ｗａｋｅ Ｏｎ Ｒｉｎｇ)の機能を用いて起動する。
【００４１】
（３）端末認証
ＵＲＬにアクセスした携帯端末３０から送信されたＨＴＴＰヘッダ内のユーザエージェント情報が、ユーザ・端末プロファイル情報テーブル２８に登録されている場合は、認証ＯＫとする。以降は、送信するファイルのリンク先に全てセッションＩＤを付加する。
【００４２】
（４）選択可能なＵＲＬ／ファイル表示（ユーザに応じて、アクセス可能範囲が変わる。）
認証直後は、ＰＣ端末２０が以下の中から取得先を選択させるコンテンツ選択処理用ＨＴＭＬファイルを送信する（リンク付。リンク先はＰＣ端末内で行い、ＵＲＬにはセッションＩＤを付加する）。
【００４３】
（ａ）各ユーザのお気に入りフォルダ（Ｃ：￥Ｄｏｃｕｍｅｎｎｔｓ ａｎｄ Ｓｅｔｔｉｎｇｓ￥××￥Ｆａｖｏｒｉｔｅｓ）直下のフォルダ、ショートカットファイル
（ｂ）お気に入りフォルダ（Ｃ：￥Ｄｏｃｕｍｅｎｎｔｓ ａｎｄ Ｓｅｔｔｉｎｇｓ￥Ａｌｌ Ｕｓｅｒｓ￥Ｆａｖｏｒｉｔｅｓ）直下のフォルダ、ショートカットファイル
（ｃ）各ユーザのドキュメントフォルダ（Ｃ：￥Ｄｏｃｕｍｅｎｎｔｓ ａｎｄ Ｓｅｔｔｉｎｇｓ￥××￥ＭｙＤｏｃｕｍｅｎｎｔｓ）
（ｄ）Ａｌｌ Ｕｓｅｒｓのドキュメントフォルダ（Ｃ：￥Ｄｏｃｕｍｅｎｎｔｓ ａｎｄ Ｓｅｔｔｉｎｇｓ￥Ａｌｌ Ｕｓｅｒｓ￥ＭｙＤｏｃｕｍｅｎｎｔｓ）
【００４４】
上記の各フォルダは、ＰＣ端末管理者がＰＣ端末２０上で実行するユーザ・端末プロファイル情報テーブル２８の書き換えにより変更可能である。また、表示する情報は、ドキュメントやお気に入り情報だけでなく、ＰＣ端末２０上のメーラが管理するアドレス帳の情報（携帯のユーザエージェント情報を、ユーザ・端末プロファイル情報テーブル２８に照合することによって得たユーザ名に対応したアドレス帳）であってもよい。この場合は、ＰＣ端末が名前とメールアドレスをＨＴＭＬ形式に変換して、携帯端末３０に送信する。以降は、ユーザの選択によってＵＲＬ選択用ＨＴＭＬファイルを作成し、ユーザに送信する。
【００４５】
（５）コンテンツ変換
ＵＲＬが選択されると、ＰＣ端末２０がＷＷＷサーバからデータを取得する。ＰＣ端末２０内のコンテンツ変換プログラム２３が、携帯端末３０から送信されたＨＴＴＰヘッダ内のユーザエージェント情報と、ユーザ・端末プロファイル情報テーブル２８内の情報から携帯端末３０で閲覧可能な形式を決定してこれに変換し、さらに、ページ内のリンク先をＰＣ端末内のＵＲＬに書き換えて携帯端末３０に送信する。なお、この際、次の処理も併せて行う。
【００４６】
（ａ）送信ページ内に「お気に入りに追加」の表示を追加し、このリンク先が選択されたら、保存先フォルダ選択用ＨＴＭＬファイルを送信して、この画面上でのユーザのフォルダ選択によってＵＲＬをＰＣ端末２０に保存する。
【００４７】
（ｂ）ユーザが要求したＷＷＷサーバ上におけるページのリンク先（＜ａ  ｈｒｅｆ＝“”／＞などのタグで指定）、に画像、動画、音声ファイルが含まれている（＜ｉｍｇ  ｓｒｃ＝“”／＞などのタグで指定）場合は、携帯端末３０で閲覧可能なフォーマットに変換してＰＣ端末２０に保持しておき、この場所をリンク先に指定するようにしてもよい。
【００４８】
（ｃ）コンテンツがユーザ・端末プロファイル情報テーブル２８内のコンテンツ最大サイズを超える場合は、端末に合わせて分割すると共に、ＨＴＭＬビューア上のボタン「上へ」「下へ」「拡大」「縮小」のリンク先に、このボタンを押下した場合に送信するデータの場所を指定する。
【００４９】
（ｄ）ユーザ・端末プロファイル情報テーブル２８内に当該フォーマットの記載がないなど、変換が不可能なファイルの場合は、表示不可能通知・ＰＣ端末への保存/非保存選択用ＨＴＭＬファイルを送信する。「Ｙｅｓ」が選択された場合は、ユーザ・端末プロファイル情報テーブル２０内のコンテンツ保存フォルダに保存する。
【００５０】
（ｅ）端末仕様ファイル２６は、機種ごとにその仕様を記載したものであり、このファイル内の情報は、ＰＣ端末２０上のＷｅｂクライアント／サーバプログラムがＰＣ端末２０外部のサーバから自動的に取得したものであっても良く、また、ＰＣ端末管理者が書き込んだものであっても良い。
【００５１】
（ｆ）ファイルが選択されると、ＰＣ端末２０のコンテンツ変換プログラム２３が、ＨＴＭＬなど携帯端末３０で閲覧可能な形式に変換して送信する。
【００５２】
なお、ユーザが要求したＷＷＷサーバ上のページのリンク先（＜ａ ｈｒｅｆ＝“”／＞などのタグで指定）に動画ファイル又は音声ファイルが含まれていて、このファイルがユーザによって選択された場合は、所定サイズのみダウンロードを行って再生時間を取得する。このとき再生時間が携帯端末３０で再生可能な範囲外であれば、後でメール送信する旨の通知画面を送信してからダウンロードを開始する。ダウンロードデータは分割し、１回のみ再生可能コンテンツとしてメール送信する。ダウンロード中も、次のダウンロード先の指定を可能とする。但し、まとめて送ってもらうことも可能である。携帯端末３０に送信後は、ＰＣ端末２０内の変換済データは破棄する。
【００５３】
また、ユーザが要求したＷＷＷサーバ上のページのリンク先（＜ａ ｈｒｅｆ＝“”／＞などのタグで指定）にユーザ・端末プロファイル情報テーブル２８内にストリーミングメタファイルとして記載があるストリーミング情報が含まれていて、これがユーザによって選択された場合は、このストリーミング情報をダウンロードして、この中に含まれるファイル本体の在り処、例えば、ｍｍｓ：／／ｘｘｘｘ．ｗｍｖやｒｔｓｐ：／／ｘｘｘｘ．ｒｍなどを解析してダウンロードし、携帯端末３０で閲覧可能な形式に変換する。このとき、携帯端末３０がサイズ無制限でファイルサイズ記述なしコンテンツの再生が可能なものであれば、再生回数０回コンテンツ（非保存コンテンツ）として、ＰＣ端末２０がダウンロード中に変換データを送信する。そうでない場合は、後でメール送信する旨の通知画面を送信してからダウンロードを開始する。ダウンロードデータは分割し、１回のみ再生可能コンテンツとしてメール送信する。ダウンロード中も、次のダウンロード先の指定を可能とする。但し、まとめて送ってもらうことも可能である。携帯端末３０に送信後は、ＰＣ端末２０内の変換済データは破棄する。
【００５４】
更に、ユーザが要求したＷＷＷサーバ上のページのリンク先（＜ａ ｈｒｅｆ＝“”／＞などのタグで指定）にユーザ・端末プロファイル情報テーブル２８内にストリーミングメタファイルとして記載があるストリーミング情報が含まれていて、これがユーザによって選択された場合は、ＰＣ端末２０がＶｏＩＰを自動的に発呼し、呼の確立後にＰＣがサーバに対してストリーミングを要求し、ＰＣ端末２０が再生リダイレクトで取得した音声をＶｏＩＰにより送信するようにしてもよい。発呼は、例えば、ＳＩＰ、Ｈ．３２３、ＭＧＣＰなどの呼制御方式を用いて行う。
【００５５】
次に、以上のように構成されたコンテンツ提供システムの動作についてフローチャートを用いて説明する。
【００５６】
（基本シーケンス）
図２、３は、実施形態に係るコンテンツ提供システムの基本シーケンスを説明するためのフローチャートである。
【００５７】
まず、ステップＳ１０１において、携帯端末３０からＰＣ端末２０内の認証ページにアクセスがあったか否かを判定し、アクセスがあったと判定された場合は、ユーザエージェント情報に「ＤｏＣｏＭｏ」の文字が含まれているか否かを判定する（ステップＳ１０２）。
【００５８】
ステップＳ１０２における判定の結果、ユーザエージェント情報に「ＤｏＣｏＭｏ」の文字が含まれている場合は、携帯端末３０に製造番号取得用ページを送信し（ステップＳ１０３）、続いてユーザ登録ページのＵＲＬへのアクセスを待機する（ステップＳ１０４）。ステップ１０３に記載したｕｔｎ属性は、これをＡタグもしくはＦＯＲＭタグの中に追加すると、アクセスした端末の製造番号がサーバに送信される。ただし、この送信はユーザの確認を経て行われる。ユーザが送信を拒否した場合は、ステップ１０６において、抽出したユーザエージェント情報がユーザ・端末プロファイル情報テーブルに登録されていないと判断され、ステップ１０７に飛ぶ。
【００５９】
ステップＳ１０２においてユーザエージェント情報に「ＤｏＣｏＭｏ」の文字が含まれていないと判定された場合、及びステップＳ１０４でＵＲＬへのアクセスがあったと判定された場合は、受信したＨＴＴＰヘッダ内のユーザエージェント情報に応じてサブスクライバＩＤ（携帯電話の端末ごとに割り付けられる固体識別番号）等のユーザ識別ＩＤ、又は、携帯端末３０の製造番号等の個体識別ＩＤを抽出する（ステップＳ１０５）。例えば、ａｕの携帯端末からはサブスクライバＩＤ、ｖｏｄａｆｏｎｅの携帯端末からは端末製造番号とメーカ任意の文字列が取得可能である。
【００６０】
次いで、抽出したユーザエージェント情報がユーザ・端末プロファイル情報テーブル２８に登録されているか否かを判定する（ステップＳ１０６）。そして、登録されていないと判定された場合は、アクセスが拒否されたことを表示するためのＨＴＭＬファイルを携帯端末３０へ送信して（ステップＳ１０７）、処理を終了する。
【００６１】
一方、ステップＳ１０６で抽出したユーザエージェント情報がユーザ・端末プロファイル情報テーブル２８に登録されていると判定された場合は、セッションＩＤとこれに対応するユーザを関連づけて記憶する（ステップＳ１０８）とともに、以下の情報を取得する。
【００６２】
（１）検出したユーザエージェント情報に対応するユーザのＣ：￥Ｄｏｃｕｍｅｎｎｔｓ ａｎｄ Ｓｅｔｔｉｎｇｓ￥ユーザ名￥Ｆａｖｏｒｉｔｅｓ内のインターネットショートカット名、ＵＲＬ情報。
（２）Ｃ：￥Ｄｏｃｕｍｅｎｎｔｓ ａｎｄ Ｓｅｔｔｉｎｇｓ￥Ａｌｌ Ｕｓｅｒｓ￥Ｆａｖｏｒｉｔｅｓ内のインターネットショートカット名、ＵＲＬ情報。
（３）検出したユーザエージェント情報に対応するユーザのＣ：￥Ｄｏｃｕｍｅｎｎｔｓ ａｎｄ Ｓｅｔｔｉｎｇｓ￥ユーザ名￥ＭｙＤｏｃｕｍｅｎｎｔｓ内のファイルのファイル名、ファイルサイズ、更新日時。
（４）Ｃ：￥Ｄｏｃｕｍｅｎｎｔｓ ａｎｄ Ｓｅｔｔｉｎｇｓ￥Ａｌｌ Ｕｓｅｒｓ￥Ｄｏｃｕｍｅｎｎｔｓ内のファイルのファイル名、ファイルサイズ、更新日時。
【００６３】
次いで、携帯端末３０で図４（ａ）に示すような初期選択画面を表示するためのコンテンツ選択処理用ＨＴＭＬファイルを作成して（ステップＳ１１０）、送信する（Ｓ１１１）。
【００６４】
ステップＳ１１２及びステップＳ１１３では、携帯端末３０が初期選択画面においてそれぞれ「××のインターネットブックマーク」及び「共有インターネットブックマーク」のリンク先ページを要求してきたか否かを判定する。そして、いずれの要求もないと判定された場合、更にステップＳ１１４において、携帯端末３０が図４（ｃ）に示すようなインターネットブックマーク選択画面においてフォルダ、又は「次へ」、又は「戻る」のリンク先ページを要求してきたか否かを判定する。
【００６５】
一方、ステップＳ１１２〜１１４のいずれかで、携帯端末３０がそれぞれのリンク先ページを要求している場合は、インターネットブックマーク選択画面を表示するためのコンテンツ選択処理用ＨＴＭＬファイルを作成して送信し（ステップＳ１１５）、ステップＳ１１２の処理手順に戻る。
【００６６】
ステップＳ１１６及びステップＳ１１７では、携帯端末３０が初期選択画面においてそれぞれ「××のドキュメント」及び「共有ドキュメント」のリンク先ページを要求したか否かを判定する。そして、いずれの要求もないと判定された場合、更にステップＳ１１８において、携帯端末３０が図４（ｂ）に示すようなドキュメント選択画面において、フォルダ、又は「次へ」、又は「戻る」のリンク先ページを要求してきたか否かを判定する。
【００６７】
ステップＳ１１６〜１１８における判定処理のいずれかで、携帯端末３０がそれぞれのリンク先ページを要求している場合は、ドキュメント選択画面を表示するためのコンテンツ選択処理用ＨＴＭＬファイルを作成して送信し（ステップＳ１１９）、ステップＳ１１２の処理手順に戻る。
【００６８】
一方、ステップＳ１１８で携帯端末３０がドキュメント選択画面において、フォルダ、又は「次へ」、又は「戻る」のリンク先ページを要求していない場合は、続いて、携帯端末３０が図４（ｃ）に示すようなインターネットブックマーク選択画面で、インターネットショートカットのリンク先ページを要求したか否かを判定する（ステップＳ１２０）。その結果、インターネットショートカットのリンク先ページを要求した場合は、後述するＷｅｂページ閲覧処理のサブルーチンを実行する（ステップＳ１２１）。その後、携帯端末３０で図４（ｃ）に示すようなインターネットブックマーク選択画面を表示するための前回表示コンテンツ選択処理用ＨＴＭＬファイルを作成して送信し（ステップＳ１２２）、ステップＳ１１２の処理手順に戻る。
【００６９】
ステップＳ１２０において、携帯端末３０がインターネットショートカットのリンク先ページを要求していない場合は、携帯端末３０がファイル選択画面において、ファイルのリンク先ページを要求したか否かを判定する（ステップＳ１２３）。その結果、ファイルのリンク先ページを要求した場合は、後述するファイル閲覧処理のサブルーチンを実行する（ステップＳ１２４）。その後、携帯端末３０で図４（ｂ）に示すようなドキュメント選択画面を表示するための前回表示コンテンツ選択処理用ＨＴＭＬファイルを作成して送信し（ステップＳ１２５）、ステップＳ１１２の処理手順に戻る。
【００７０】
ステップＳ１２３で携帯端末３０がファイルのリンク先ページを要求していない場合は、「終了」のリンク先ページを要求したか否かを判定する（ステップＳ１２６）。判定の結果、「終了」のリンク先ページを要求していない場合は、ステップＳ１１２の処理手順に戻る。一方、「終了」のリンク先ページを要求した場合は、処理終了通知用ＨＴＭＬファイルを送信して（ステップＳ１２７）、処理を終了する。
【００７１】
（Ｗｅｂページ閲覧処理）
図５、６は、実施形態に係るコンテンツ提供システムのＷｅｂページ閲覧処理手順を説明するためのフローチャートである。
【００７２】
まず、ＰＣ端末２０は、Ｗｅｂサーバ１０からデータを取得して（ステップＳ２０１）、取得したデータのフォーマットがユーザ・端末プロファイル情報テーブル２８内の当該セッションＩＤに関連付けられたユーザの登録情報に含まれるか否かを判定する（ステップＳ２０２）。判定の結果、データのフォーマットがユーザの登録情報に含まれていない場合は、ユーザ・端末プロファイル情報テーブル２８内のバックアップモードがＯＮになっているか否かを判定する（ステップＳ２０３）。そして、バックアップモードがＯＮになっていないと判定された場合は、ステップＳ２０５の処理手順に進む。一方、バックアップモードがＯＮになっていると判定された場合は、取得したデータをユーザ・端末プロファイル情報テーブル２８内の指定されたフォルダに保存してから（ステップＳ２０４）、ステップＳ２０５の処理手順に進む。
【００７３】
ステップＳ２０５では、ＵＲＬ保存処理用のＨＴＭＬファイルを作成する。続いて、ステップＳ２０６において、コンテンツ変換プログラム２３によりレスポンスデータを変換する。
【００７４】
ステップＳ２０７では、携帯端末３０の送信用ファイル、及びリンク先ファイルを作成する。なお、これには「お気に入りに追加」のリンク先へのＵＲＬ保存処理用ＨＴＭＬのＵＲＬ指定追加を含むものである。
【００７５】
次いで、携帯端末３０に対して送信用ファイルを送信する（ステップＳ２０８）。
【００７６】
ステップＳ２０９では、携帯端末３０から図７（ａ）に示すＷｅｂ表示画面における「上へ」「下へ」「拡大」「縮小」のうち、いずれかのリンク先ページが要求されたか否かを判定する。その結果、要求されている場合は、ステップＳ２１０で携帯端末３０に要求されたリンク先ページを送信して、ステップＳ２０９の手順に戻る。
【００７７】
一方、ステップＳ２０９における判定の結果、いずれのリンク先ページも要求されていない場合は、ステップＳ２１１において、携帯端末３０から「お気に入りに保存」のリンク先ページが要求されたか否かを判定する。その結果、要求されている場合は、ステップＳ２１２に進み、後述するＷｅｂページ登録処理のサブルーチンを実行して、ステップＳ２０８の処理手順に戻る。
【００７８】
ステップＳ２１１で携帯端末３０から「お気に入りに保存」のリンク先ページが要求されていない場合は、続くステップＳ２１３において、携帯端末３０から「バックアップモード」のリンク先ページが要求されたか否かを判定する。その結果、要求されている場合は、ステップＳ２１４に進み、後述するバックアップモード変更処理のサブルーチンを実行し、取得情報をユーザ・端末プロファイル情報テーブル２８内の指定されたコンテンツフォルダに保存して（ステップＳ２１５）、ステップＳ２０８の処理手順に戻る。
【００７９】
一方、ステップＳ２１３において、携帯端末３０から「バックアップモード」のリンク先ページが要求されていない場合は、続くステップＳ２１６において、携帯端末３０から「終了」のリンク先ページが要求されたか否かを判定する。その結果、要求されている場合は、図２、３に示した基本シーケンスのステップＳ１２７に進み、処理終了通知用ＨＴＭＬファイルを送信して処理を終了する。
【００８０】
ステップＳ２１５で「バックアップモード」のリンク先ページが要求されていない場合は、ステップＳ２１７において、携帯端末３０から図７（ａ）に示すＷｅｂ表示画面における「移動」のリンク先ページが要求されたか否かを判定する。その結果、要求されている場合は処理を終了し、要求されていない場合は、続くステップＳ２１８において、携帯端末３０からその他のリンク先ページが要求されたか否かを判定する。
【００８１】
ステップＳ２１８でその他のリンク先ページが要求されている場合はステップＳ２０１の処理手順に戻り、要求されていない場合は、ステップＳ２０８の処理手順に戻る。
【００８２】
一方、先のステップＳ２０２の処理手順において、取得したデータのフォーマットがユーザ・端末プロファイル情報テーブル２８内のユーザの登録情報に含まれていると判定された場合は、図７（ｂ）に示すような表示不可能通知・ＰＣ端末への保存／非保存選択画面を表示するためのＨＴＭＬファイルを携帯端末３０に対して送信する（ステップＳ２１９）。
【００８３】
これに対して、携帯端末３０から図７（ｂ）に示す表示不可能通知・ＰＣ端末への保存／非保存選択画面における「Ｎｏ」のリンク先ページが要求されたか否かを判定する（ステップＳ２２０）。判定の結果、「Ｎｏ」のリンク先ページが要求されていれば、処理を終了する。
【００８４】
次いで、携帯端末３０に表示された表示不可能通知・ＰＣ端末への保存／非保存選択画面において、「Ｙｅｓ」が選択されてリンク先ページが要求されたか否かを判定する（ステップＳ２２１）。判定の結果、「Ｙｅｓ」のリンク先ページが要求されていない場合は、ステップＳ２２０の処理手順に戻り、携帯端末３０からのリンク先ページの要求を待機する。一方、「Ｙｅｓ」のリンク先ページが要求されている場合は、ステップＳ２２２の処理手順に進む。
【００８５】
ステップＳ２２２では、ユーザ・端末プロファイル情報テーブル２８内の指定されたフォルダにリンク先ページを保存する。続いて、ステップＳ２２３でリンク先ページの保存に成功したか否かを判定する。その結果、保存に成功した場合は、ステップＳ２２４の手順でリンク先ページの保存に成功したことを通知する例えば図７（ｃ）に示すような画面を表示するためのＨＴＭＬファイルを携帯端末３０に送信して、次のステップＳ２２６の手順に進む。一方、保存に失敗した場合は、失敗したことを通知する画面を表示するためのＨＴＭＬファイルを送信してからステップＳ２２６の手順に進む。
【００８６】
ステップＳ２２６では、携帯端末３０から「ＯＫ」のリンク先ページが要求されるのを監視し、要求があった場合に処理を終了する。
【００８７】
（Ｗｅｂページ登録処理）
図８は、実施形態に係るコンテンツ提供システムのＷｅｂページ登録処理の手順を説明するためのフローチャートである。
【００８８】
まず、ステップＳ３０１において、図９に示すような保存先フォルダを選択するための画面を作成するＨＴＭＬファイルを送信する。
【００８９】
次いで、ステップＳ３０２では、携帯端末３０から選択された保存先フォルダのリンク先ページを要求されたか否かを判定する。その結果、要求があれば再びステップＳ３０１の手順に戻る。
【００９０】
一方、ステップＳ３０２で選択された保存先フォルダのリンク先ページを要求されない場合は、ステップＳ３０３で、「次へ」のンク先ページを要求されたか否かを判定する。その結果、要求があれば再びステップＳ３０１の手順に戻る。
【００９１】
ステップＳ３０４では、携帯端末３０から「ここに追加」のンク先ページを要求されたか否かを判定する。判定の結果、要求があれば指定フォルダにインターネットショートカットを保存した上で（ステップＳ３０５）、処理を終了する。
【００９２】
一方、ステップＳ３０４で「ここに追加」のンク先ページを要求されていないと判定された場合は、次のステップＳ３０６で、携帯端末３０から「キャンセル」のリンク先ページを要求されたか否かを判定する。判定の結果、要求がなければ、ステップ３０２の処理に戻り、要求があれば、処理を終了する。
【００９３】
（バックアップモード変更処理）
図１０は、実施形態に係るコンテンツ提供システムのバックアップモード変更の処理手順を説明するためのフローチャートである。
【００９４】
まず、ステップＳ４０１において、図１１に示すようなバックアップモード変更画面を作成するためのＨＴＭＬファイルを送信する。
【００９５】
次いで、ステップＳ４０２では、携帯端末３０から「ＯＮ」のリンク先ページを要求されたか否かを判定する。その結果、要求があればユーザ・端末プロファイル情報テーブル２８内のバックアップモードをＯＮに書き換えた後（ステップＳ４０３）、処理を終了する。
【００９６】
一方、ステップＳ４０２において「ＯＮ」のリンク先ページを要求されていないと判定された場合は、次のステップＳ４０４で携帯端末３０から「ＯＦＦ」のンク先ページを要求されたか否かを判定する。判定の結果、要求がなければステップ４０２の処理に戻り、要求があれば処理を終了する。
【００９７】
（ファイル閲覧処理）
図１２は、本発明の実施形態に係るコンテンツ提供システムのファイル閲覧処理の手順を説明するためのフローチャートである。
【００９８】
まず、指定ファイルがユーザ・端末プロファイル情報テーブル２８内の当該セッションＩＤに関連付けられたユーザの登録情報に含まれるか否かを判定し（ステップＳ５０１）、含まれていると判定された場合は、コンテンツ変換プログラム２３によりファイルを変換する（ステップＳ５０２）。なお、このときファイルサイズが携帯端末３０の受信サイズを超える場合は変換データを分割し、分割したデータの格納場所を「上へ」、「下へ」のリンク先に貼り付ける。
【００９９】
次いで、携帯端末３０に送信するためのファイル及びリンク先ファイルを作成し（ステップＳ５０３）、作成したファイルを携帯端末３０に送信する（ステップＳ５０４）。
【０１００】
ステップＳ５０５では、携帯端末３０から図１３（ａ）に示すファイル表示画面における「上へ」「下へ」「拡大」「縮小」のうち、いずれかのリンク先ページが要求されたか否かを判定する。その結果、リンク先ページが要求されている場合は、ステップＳ５０６で携帯端末３０に要求されたリンク先ページを送信して、ステップＳ５０５の手順に戻る。
【０１０１】
一方、ステップＳ５０５における判定の結果、いずれのリンク先ページも要求されていない場合は、ステップＳ５０７において、携帯端末３０から「終了」のリンク先ページが要求されたか否かを判定する。その結果、要求されている場合は、図２、３に示した基本シーケンスの処理手順ステップＳ１２７にジャンプし、携帯端末３０に対して処理通知用ＨＴＭＬファイルを送信して処理を終了する。
【０１０２】
ステップＳ５０７において「終了」のリンク先ページが要求されていない場合は、続くステップＳ５０８において、携帯端末３０から「移動」のリンク先ページが要求されたか否かを判定する。その結果、要求されている場合は、処理を終了する。
【０１０３】
一方、ステップＳ５０８において、「移動」のリンク先ページが要求されていない場合は、続くステップＳ５０９において、携帯端末３０からその他のリンク先ページが要求されたか否かを判定する。
【０１０４】
ステップＳ５０９でその他のリンク先ページが要求されている場合は、図７に示したＷｅｂページ閲覧における処理手順のステップＳ２０１にジャンプし、Ｗｅｂサーバからデータを取得する。一方、その他のリンク先ページが要求されていない場合は、ステップＳ５０５の処理手順に戻る。
【０１０５】
ステップＳ５０１の処理手順において、指定ファイルがユーザ・端末プロファイル情報テーブル２８内の当該セッションＩＤに関連付けられたユーザの登録情報に含まれていないと判定された場合は、ステップＳ５１０において、図１３（ｂ）に示すような表示不可能通知用の画面を作成するためのＨＴＭＬファイルを携帯端末３０に対して送信し、これに応答して携帯端末３０から「ＯＫ」のリンク先ページが要求されるのを監視する（ステップＳ５１１）。そして、「ＯＫ」のリンク先ページが要求されたら処理を終了する。
【０１０６】
以上説明したように、このような本発明の実施形態のコンテンツ提供方法によれば、ＰＣ端末２０は、管理するアカウント名とアカウント名に対応する携帯端末３０のユーザエージェント情報及び仕様を保持するユーザ・端末プロファイル情報テーブル２８を有し、携帯端末３０からアクセスがあった際に、ユーザエージェント情報から抽出したユーザ識別ＩＤ又は個体識別ＩＤがユーザ・端末プロファイル情報テーブル２８に保持されている場合に所定のフォルダへのアクセスを許可するとともに、携帯端末３０で閲覧可能な形式で記載された選択画面を介してコンテンツの提供を受ける。
【０１０７】
これにより、ＰＣ端末２０が保持するＵＲＬを携帯端末３０から利用できるとともに、ＰＣ端末２０内に保持されたコンテンツを、携帯端末３０の標準ビューア経由で容易に取得することができる。
【産業上の利用可能性】
【０１０８】
本発明は、携帯端末からＰＣ端末の保持するＵＲＬ情報を利用できるようにし、携帯端末がＵＲＬにアクセスすることによって取得したコンテンツをＰＣ端末に格納することができる効果を有し、コンテンツ提供システムに有用である。
【図面の簡単な説明】
【０１０９】
【図１】本発明の実施形態に係るコンテンツ提供システムの概略構成を示す図
【図２】本発明の実施形態に係るコンテンツ提供方法の基本シーケンスを説明するためのフローチャート
【図３】本発明の実施形態に係るコンテンツ提供方法の基本シーケンスを説明するためのフローチャート（図２の続き）
【図４】（ａ）実施形態に係るコンテンツ提供方法の基本シーケンスにおける初期選択画面の例を示す図  （ｂ）実施形態に係るコンテンツ提供方法の基本シーケンスにおけるドキュメント選択画面の例を示す図  （ｃ）実施形態に係るコンテンツ提供方法の基本シーケンスにおけるインターネットブックマーク選択画面の例を示す図
【図５】本発明の実施形態に係るコンテンツ提供方法のＷｅｂページ閲覧処理における手順を説明するためのフローチャート
【図６】本発明の実施形態に係るコンテンツ提供方法のＷｅｂページ閲覧処理における手順を説明するためのフローチャート（図５の続き）
【図７】（ａ）実施形態に係るコンテンツ提供方法のＷｅｂ閲覧処理におけるＷｅｂページ表示画面の例を示す図  （ｂ）実施形態に係るコンテンツ提供方法のＷｅｂ閲覧処理における表示不可能通知・ＰＣへの保存／非保存選択画面の例を示す図  （ｃ）実施形態に係るコンテンツ提供方法のＷｅｂ閲覧処理における保存成功通知画面の例を示す図
【図８】本発明の実施形態に係るコンテンツ提供方法のＷｅｂ登録処理における手順を説明するためのフローチャート
【図９】実施形態に係るコンテンツ提供方法のＷｅｂ登録処理における保存先フォルダ選択画面の例を示す図
【図１０】本発明の実施形態に係るコンテンツ提供方法のバックアップモード変更処理における手順を説明するためのフローチャート
【図１１】実施形態に係るコンテンツ提供方法のバックアップモード変更処理におけるバックアップモード変更処理画面の例を示す図
【図１２】本発明の実施形態に係るコンテンツ提供方法のファイル閲覧処理における手順を説明するためのフローチャート
【図１３】（ａ）実施形態に係るコンテンツ提供方法のファイル閲覧処理におけるファイル表示画面の例を示す図  （ｂ）実施形態に係るコンテンツ提供方法のＷｅｂ閲覧処理における表示不可能通知画面の例を示す図
【符号の説明】
【０１１０】
１０  Ｗｅｂサーバ
１１  コンテンツ
２０  ＰＣ端末
２８  ユーザ・端末プロファイル情報テーブル
３０  携帯端末
３２  ビューア
３００  変換後コンテンツ
【図１】
2006260009.tif 000004
【図２】
2006260009.tif 000005
【図３】
2006260009.tif 000006
【図４】
2006260009.tif 000007
【図５】
2006260009.tif 000008
【図６】
2006260009.tif 000009
【図７】
2006260009.tif 000010
【図８】
2006260009.tif 000011
【図９】
2006260009.tif 000012
【図１０】
2006260009.tif 000013
【図１１】
2006260009.tif 000014
【図１２】
2006260009.tif 000015
【図１３】
2006260009.tif 000016